(57)【要約】  電子機器（例えばレーダー／レーザー検出器及び／またはＧＰＳ装置及び／または車載カメラ、または車内で使用される他の電子機器）を車両の内面（例えば、フロントガラス、ダッシュボード）のような面に固定するための取り付け装置の様々な実施形態が、ここで開示される。１つの例では、取り付け装置は、電子機器内の対応する金属面と結合するのに適した磁石を含み、装置内に配置された磁石は、ユーザーが取り付け装置と電子機器とを互いに固定するのを補助する磁力を提供する。【選択図】図２
2020515464.tif 000002
【特許請求の範囲】
【請求項１】
電子機器をフロントガラスのような面に取り付けるための装置であって、
前記面に結合するのに適した吸引面を有するメインボディーと、
少なくとも１個の磁石を含む磁石サブアセンブリーと、
を含み、
前記磁石は、前記電子機器に取り付けられた金属プレートと結合するのに適している、
装置。
【請求項２】
前記磁石の磁力を強めるように前記磁石の少なくとも一部を囲むフラックスガイドを更に含む請求項１に記載の装置。
【請求項３】
前記フラックスガイドは金属で形成されている請求項１に記載の装置。
【請求項４】
前記フラックスガイドは、概ねＵ型である請求項１に記載の装置。
【請求項５】
前記磁石と前記フラックスガイドとは、ネジで前記磁石サブアセンブリーに固定されている請求項２に記載の装置。
【請求項６】
前記磁石は、前記金属プレートと結合するように、概ね矩形の外面を形成している請求項１に記載の装置。
【請求項７】
前記フラックスガイドは、概ねＵ型である請求項１に記載の装置。
【請求項８】
前記磁石サブアセンブリーは、前記電子機器と構造的に係合するのに適したリップを含む請求項１に記載の装置。
【請求項９】
前記磁石サブアセンブリーの前記リップは、前記磁石サブアセンブリーから外向きに広がり、第１の取り付けられる構成では、前記電子機器のリップと係合するのに適していて、第２の取り外される構成では、前記電子機器の前記リップから取り外されるのに適している請求項１に記載の装置。
【請求項１０】
電子機器をフロントガラスのような面に取り付けるための装置であって、
前記面に結合するのに適した吸引面を有するメインボディーと、
少なくとも１個の磁石を含む磁石サブアセンブリーと、
を含み、
前記磁石は、前記電子機器に取り付けられた金属プレートと結合するのに適しており、
前記磁石サブアセンブリーは、前記磁石サブアセンブリーから外向きに広がるリップを含み、
前記リップは、第１の取り付けられる構成では、構造的に前記電子機器の協動リップと係合するのに適していて、第２の取り外される構成では、前記電子機器の前記協動リップから取り外されるのに適している、
装置。
【請求項１１】
前記磁石サブアセンブリーの前記リップと、前記電子機器の前記協動リップとは、前記第２の取り外される構成では、前記磁石サブアセンブリーに対して前記電子機器を傾けることにより、取り外されるのに適している請求項１０に記載の装置。
【請求項１２】
前記磁石の磁力を強めるように前記磁石の少なくとも一部を囲むフラックスガイドを更に含む請求項１０に記載の装置。
【請求項１３】
前記フラックスガイドは金属で形成されている請求項１０に記載の装置。
【請求項１４】
前記フラックスガイドは、概ねＵ型である請求項１０に記載の装置。
【請求項１５】
前記磁石と前記フラックスガイドとは、ネジで前記磁石サブアセンブリーに固定されている請求項１２に記載の装置。
【請求項１６】
前記磁石は、前記金属プレートと結合するように、概ね矩形の外面を形成している請求項１０に記載の装置。
【請求項１７】
前記フラックスガイドは、概ねＵ型である請求項１０に記載の装置。
【発明の詳細な説明】
【技術分野】
【０００１】
本開示は、一般に、車両のフロントガラスのような面に電子機器を固定する装置に関する。
【背景技術】
【０００２】
電子機器、例えばレーダー／レーザー検出器とＧＰＳ装置と車載カメラ、または車内で使用される他の電子機器は、フロントガラスの内面、またはダッシュボードやドア内部の表面のような他の面、のような車両の内面に、ユーザーによって、一般的に一時的に取り付けられる。電子機器とフロントガラス面のような面とに、ユーザーが取り付け、後で取り外すことができる様々な装置またはインターフェースが開発されてきた。これらの装置の効果は、フロントガラスに関して適所にしっかりと電子機器を接続し保持する能力次第であり、特に、これらの装置の効果は、電子機器がフロントガラス面に取り付けられた状態で、装置と電子機器に様々な振動と動きと力を伝える道を車両が走るので、装置が電子機器としっかりと接続されている程度次第である。
【０００３】
装置と電子機器間の接続が固定されている必要がある場合は、ユーザーが車を離れる時のような、ユーザーが求めるときはいつでも、ユーザーが電子機器を装置から取り外せるか、接続を外せる必要もある。
【発明の概要】
【発明が解決しようとする課題】
【０００４】
フロントガラスのような車両の内面に取り付けるための装置に、ユーザーが、電子機器を、しっかりと取り付け、取り外すことが可能な、車両の面（例えばフロントガラスの内面）に電子機器を取り付けるための、改善された装置が提供される。
【課題を解決するための手段】
【０００５】
本開示の１つの実施形態の１つの広い態様によると、電子機器（例えばレーダー／レーザー検出器及び／またはＧＰＳ装置及び／または車載カメラ、または車内で使用される他の電子機器）を車両の内面（例えば、フロントガラス、ダッシュボード）のような面に固定する取り付け装置が、ここで開示される。１つの例では、取り付け装置は、電子機器内の対応する金属面と結合するのに適した磁石を含み、装置内に配置された磁石は、ユーザーが取り付け装置と電子機器とを互いに固定するのを補助する磁力を提供する。
【０００６】
別の実施形態では、フロントガラスのような面に電子機器を取り付けるための取り付け装置が提供される。取り付け装置は、面に結合するのに適した吸引面を有するメインと、少なくとも１個の磁石を含む磁石サブアセンブリーとを含む。前記磁石は、前記電子機器の金属構成要素と結合するのに適している。前記磁石サブアセンブリーは、更に、前記磁石サブアセンブリーから外向きに広がるリップを含む。前記リップは、第１の取り付けられる構成では、構造的に前記電子機器の協動リップと係合するのに適していて、第２の取り外される構成では、前記電子機器の前記協動リップから取り外されるのに適している。
【０００７】
本開示の他の実施形態がここで開示される。本開示の様々な実施形態の特徴と有用性と長所とは、添付図面に示されるように、以下の実施形態のより詳細な説明から明らかである。
【図面の簡単な説明】
【０００８】
【図１】本開示の１つの例に従って、電子機器と結合された取り付け装置の例を示す。
【図２】本開示の１つの実施形態に従って、取り付け装置の例を示す。
【図３】本開示の１つの実施形態に従って、取り付け装置の例のもう１つの図を示す。
【図４】本開示の１つの実施形態に従って、取り付け装置の例の断面図を示す。
【図５】本開示の１つの実施形態に従って、電子機器の例と接続された取り付け装置の例の断面図を示す。
【発明を実施するための形態】
【０００９】
電子機器（例えばレーダー／レーザー検出器及び／またはＧＰＳ装置及び／または車載カメラ、または車内で使用される他の電子機器）を車両の内面(例えば、フロントガラス、ダッシュボード)のような面に固定する、取り付け装置の様々な実施形態がここで開示される。単純化のために、本開示の取り付け装置は、自動車のような車両のフロントガラス内面に電子機器を取り付け、取り外す用途に関して記述される。取り付け装置の様々な実施形態が、ここで開示される。
【００１０】
以下の詳細な説明では、特定の実施形態がどのように実行されるか示すために選ばれた、例の様々な詳細を表す添付図面を参照する。ここでの論は、これらの図面に関して少なくとも部分的に車両取り付けの様々な例を扱い、当業者が実施形態を実行可能なのに、十分に詳細に表された実施形態を記述する。ここに論じられる実例となる例以外に、主題を実行するために、多くの他の実施形態が利用されうる。そして、特にここに論じられる選択肢に加えて、多くの構造的な、そして操作上の変更は、開示された主題の要旨を逸脱しない範囲でなされうる。
【００１１】
この説明では、「１つの実施形態」または「実施形態」への言及、または「１つの例」または「例」への言及は、言及されている特徴が、開示の少なくとも１つの実施形態または例に含まれている、または含まれていても良い、ということを意味する。この説明における個々の「実施形態」または「１つの実施形態」への言及、または「１つの例」または「例」への言及は、必ずしも同じ実施形態または例に言及していることを意味しない。このように、本開示は、ここで記述される実施形態と例の様々な組合せ及び／または統合はもちろんのこと、更に、この開示に基づき、すべての請求項の範囲内で定義される実施形態と例と、そのような請求項の法的に等価なものすべてとを含む。
【００１２】
図１−５を参照し、取り付け装置２０は、フロントガラスの内側またはダッシュボードまたは他の面のような面２４（図１参照）に電子機器２２をしっかりと接続するのに適している。
【００１３】
取り付け装置２０は、メインボディー３０と、メインボディー３０から伸びる１以上のフランジまたはアーム３２と、磁石サブアセンブリー部材３４とを有する。磁石サブアセンブリー部材３４は、１以上の磁石３６を含んでも良く、調節可能またはロック可能なヒンジ３８を介して、アーム３２に接続されていても良い。取り付け装置２０は、マイラーまたはゴムまたはプラスチックまたは他の材料でできている吸着カップのような吸着インターフェース４０も含んでも良く、吸着インターフェース４０は、ユーザーの望み通りに、面２４に取り付け装置を固定するのに適している。吸着インターフェース４０は、メインボディー３０を貫いて伸びるポスト４２を含んでも良く、ポスト４２は、バネ４６がポスト４２の周囲に配置された（例えば乗っている）状態でレバー４４に接続されている。
【００１４】
１つの例では、図４に示されるように、レバー４４がメインボディー３０から外側に向かって伸びる、上方位置にある場合、吸着インターフェース４０が概ね平らになるように、ポスト４２とバネ４６とは外側に向かって下方へ押される。図１−３に示されるように、使用中、ユーザーが取り付け装置２０をフロントガラスのような面２４に置く場合、ユーザーは、メインボディー３０の外面と同じ高さの下方位置に、レバー４４を動かす。これにより、吸着インターフェース４０と面２４との間の吸着を引き起こすように吸着インターフェース４０の中心が内側に動かされるように、レバー４４は、ポスト４２を内側に引っ張り、これによりバネ４６も内側に引っ張られる。
【００１５】
図２−５に示されるように、１つの例では、ボルト４８によってメインボディー３０に磁石サブアセンブリー３４が取り付けられている。ボルト４８は、一端にノブ５０が取り付けられていても良い。ワッシャー５２が、フランジ３２とノブ５０との間に配置されていても良い。例えば使用中にユーザーが、取り付け装置２０または面２４に対して電子機器が配置されている角度をセットしたい場合または変更したい場合に、ユーザーは、ノブ５０を回転させて、磁石サブアセンブリー３４とメインボディー３０との間の接続を締めたりゆるめたりすることができる。
【００１６】
１つの例では、メインボディー３０は概ね円形または丸い形または必要ならば他の形であっても良く、プラスチックまたは他の堅い材料でつくられても良い。吸着インターフェース４０の外面は、概ね円形または望むように他の形であっても良い。
【００１７】
本開示の１つの実施形態に従って、磁石サブアセンブリー３４は、キャビティー５６を含むハウジングまたはシュー５４を含む。フラックスガイド５８はいくつかのまたは全ての磁石３６の周囲に配置されても良く、１つの例では、フラックスガイド５８と磁石３６とは、磁石３６の中心を貫いてネジ６０でキャビティー５６内に固定されている。他の実施形態では、例えば、磁石３６は他の手段、例えば、これらに限らないが、接着剤またはボルトまたはテープまたは紐または機械式コネクターまたは接着性コネクターまたは電気機械コネクター等により、キャビティー内に固定されていても良い。
【００１８】
１つの例で、フラックスガイド５８は、金属または他の材料でできた概ねＵ型のブラケットであっても良く、フラックスガイド５８は、磁石３６の磁力を（例えば、そのようなフラックスガイドを有さない磁石と比較して）増幅する。マイラーのようなオーバレイ材料６２が、平らで滑らかな外面をつくるために、磁石３６の外面をおおうように取り付けられても良い。磁石３６の外面は、概ね矩形または望むように他の形であっても良い。
【００１９】
シュー（ハウジング）５４は、リップ（外側に突き出た端）６４を含んでも良く、リップ６４は、取り付け装置２０と電子機器２２との間の構造的支持を提供するために電子機器２２の対応する表面と係合するのに適している。１つの実施形態では、例えば、リップ（端）６４は、ここで示されるような取り付け装置２０と電子機器２２との間の構造的／機械的インターフェースを提供するために、１以上の方向に伸びていても良い。
【００２０】
図１と図５に言及して、電子機器２２は、ここで定義されたキャビティー（または穴）７４を持つトップ部分７２を有するメインボディー３０を含む。キャビティー７４は、磁石３６／オーバレイ６２の外面を含むブラケット５８の先端を受けるように、大きさを設定され形づくられる。キャビティー７４は、リップまたはベアリング面７６を規定する。キャビティー７４は、磁石サブアセンブリー３４のシュー５４の端／リップ６４と構造的に係合するのに適している。ハウジング７０またはキャビティー７４のリップまたはベアリング面７６は、例えば、取り付け装置２０のシュー（ハウジング）５４のリップ（外側に突き出た端）６４と係合するのに適した協動リップまたは他の面を備えても良い。金属プレート７８または他の金属または磁気部品が、キャビティー７４の下の内部に沿って配置され、金属プレート７８のより大きな付着力を電子機器２２へ提供するために、１以上のヒート・ステーク８０によって電子機器２２に固定されても良い。１つの例では、金属プレート７８は、ユーザーの望む磁石３６／オーバレイ６２の外面と選択的に係合し、かみ合うように、大きさを設定されて成形される。
【００２１】
図５は、個々の金属プレート７８が電子機器ハウジング７０のキャビティー７４内に配置されたことを示すが、他の構成も考えられる。ハウジング７０は、例えば、取り付け装置２０の磁石３６に結合するのに適した、１以上の金属面、金属構成要素または磁気面、磁気構成要素等を含んでも良い。さらに、キャビティー７４は電子機器２２の１以上の金属面または金属構成要素を露出させても良い。電子機器２２の金属プレート７８または他の面または他の構成要素は、１以上の保護層（例えばハウジング７０の一部）内に配置されても良く、磁石３６と、電子機器２２の金属プレート７８または他の面または他の構成要素とは、当該保護層を介して結合するのに適応している。
【００２２】
１つの例で、使用中に、ユーザーは取り付け装置２０のシュー５４の先端を電子機器２２のキャビティー７４の中に入れても良い。取り付け装置２０の磁石３６は、電子機器２２の金属プレート７８に磁力でくっつく。それによって、取り付け装置２０による電子機器２２との磁気結合と支持とを提供する。フラックスガイド５８は磁石３６と金属プレート７８との間の磁気引力を高め、そのことが、取り付け装置２０と電子機器２２との間の、より強く確実な保持を提供する助けとなり、車が道を走っている際の独特の力と運動にさらされている間、取り付け装置２０に対する電子機器２２の動きを減らす助けにもなる。さらに、フラックスガイド５８により提供される磁力の増大は、取り付け装置２０が、従来の取り付け装置と比べて、より重い電子機器を支持することを可能にする。
【００２３】
取り付け装置２０と電子機器２２との間の磁気結合に加えて、電子機器２２のキャビティー７４のリップ７６は、取り付け装置２０のシュー５４の端６４と機械的に係合し、取り付け装置２０により電子機器２２の構造的支持を提供する助けとなる。
【００２４】
例えば、図５に示された特定の実施形態では、シュー（ハウジング）５４のリップ（端）６４がキャビティー５６の１以上の端に沿って、ボディ７０のリップ７６と係合する。この特定の例では、シュー（ハウジング）５４のリップ（端）６４と電子機器のボディ７０のリップ７６との間の係合を外すために、電子機器２２は取り付け装置２０に関して傾けられ、または回転されても良い。それから、磁石３６と金属プレート７８（または電子機器２２の他の結合構成要素）の磁力に打ち勝って、電子機器が取り付け装置２０から分離されるのを許すために、機械的な力が加えられても良い。このように、シュー（ハウジング）のリップ（端）６４と電子機器２２のボディ７０のリップ７６とが係合されていれば、使用中、電子機器２２と取り付け装置２０との結合を維持するための、補助的な支持が提供される。しかし、分離中は、シュー（ハウジング）５４のリップ（端）６４は、（例えば、電子機器２２のボディ７０を取り付け装置２０に関して傾け、または回転させることにより）比較的簡単に係合を取り外されても良く、これにより、取り付け装置２０から電子機器２２を取り外すこと／分離することが容易になる。
【００２５】
本開示の実施形態が、例えばモバイル機器とレーダー/レーザー探知器とＧＰＳ装置と車載カメラと携帯電話とコンピュータと音楽及びマルチメディア・プレイヤーと他の携帯機器に限らず、様々な電子機器２２に使用されうるものと理解される。
【００２６】
したがって、本開示の実施形態が、しっかりと電子機器を車両の内面に付けるのに用いられうる取り付け装置を提供することがわかる。
【００２７】
本開示の一部が、特定の順序で実行される特定の操作に関して記述され示されているが、これらの操作は、本開示の教示を逸脱しない範囲で等価な方法を形成するために、まとめられ、または細分化され、または並び替えられても良いと理解されるだろう。したがって、特にここに示されない限り、操作の順序及びグループ化は本開示に限定されない。
【００２８】
本開示の典型的な実施形態の前述の説明において、本開示を効率化し、１以上の様々な面を理解するのを助ける目的で、本開示の様々な特徴が、時折、１つの実施形態または図または説明に一緒にまとめられていると理解されるべきだ。しかし、開示のこの方法は、実施形態が、各々の請求項で明確に列挙されたよりも多くの特徴を必要とする、という意図を示すと解釈されるべきではない。むしろ、発明の特徴は、前記開示された一実施形態のすべての特徴より少なく、ここで記述された各実施形態は複数の発明の特徴を含んでも良い。
【００２９】
実施形態は、ある程度詳細に上記されたが、当業者は、この発明の精神または範囲を逸脱しないで、開示された実施形態に多数の変更をしても良い。特に、位置または方位または発明の使用に関しては、すべての方向の言及（例えば、上の、下の、上向きの、下向きの、左の、右の、左向きの、右向きの、トップ、ボトム、上に、下に、垂直の、水平の、時計回りの、反時計回りの）は、本発明についての読者の理解を助けるために識別の目的で使用されているのみであって、限定をなすものではない。併合の言及（例えば、取り付けられて、結合されて、接続されて等）は、広く解釈されるべきで、要素の接続の間に中間部材を含んでも良く、要素間の相対的な動きを含んでも良い。そうであるから、併合の言及は、必ずしも、２つの要素が直接接続されて、互いに固定的な関係にあると、暗に意味しているわけではない。上記説明に含まれ、または添付図面に示されるすべての事柄が、単なる説明として、限定的でないように解釈されると、意図している。詳細な変更または構造の変更は、添付の請求項で定義されている発明の精神を逸脱しない範囲でなされても良い。
【００３０】
開示の精神と範囲から逸脱することなく、示されて記述された実施形態から、形状および詳細の様々な変更がなされうることは、当業者によって理解されるだろう。
【００３１】
（付記１）
電子機器をフロントガラスのような面に取り付けるための装置であって、
前記面に結合するのに適した吸引面を有するメインボディーと、
少なくとも１個の磁石を含む磁石サブアセンブリーと、
を含み、
前記磁石は、前記電子機器に取り付けられた金属プレートと結合するのに適している、
装置。
【００３２】
（付記２）
前記磁石の磁力を強めるように前記磁石の少なくとも一部を囲むフラックスガイドを更に含む付記１に記載の装置。
【００３３】
（付記３）
前記フラックスガイドは金属で形成されている付記１に記載の装置。
【００３４】
（付記４）
前記フラックスガイドは、概ねＵ型である付記１に記載の装置。
【００３５】
（付記５）
前記磁石と前記フラックスガイドとは、ネジで前記磁石サブアセンブリーに固定されている付記２に記載の装置。
【００３６】
（付記６）
前記磁石は、前記金属プレートと結合するように、概ね矩形の外面を形成している付記１に記載の装置。
【００３７】
（付記７）
前記フラックスガイドは、概ねＵ型である付記１に記載の装置。
【００３８】
（付記８）
前記磁石サブアセンブリーは、前記電子機器と構造的に係合するのに適したリップを含む付記１に記載の装置。
【００３９】
（付記９）
前記磁石サブアセンブリーの前記リップは、前記磁石サブアセンブリーから外向きに広がり、第１の取り付けられる構成では、前記電子機器のリップと係合するのに適していて、第２の取り外される構成では、前記電子機器の前記リップから取り外されるのに適している付記１に記載の装置。
【００４０】
（付記１０）
電子機器をフロントガラスのような面に取り付けるための装置であって、
前記面に結合するのに適した吸引面を有するメインボディーと、
少なくとも１個の磁石を含む磁石サブアセンブリーと、
を含み、
前記磁石は、前記電子機器に取り付けられた金属プレートと結合するのに適しており、
前記磁石サブアセンブリーは、前記磁石サブアセンブリーから外向きに広がるリップを含み、
前記リップは、第１の取り付けられる構成では、構造的に前記電子機器の協動リップと係合するのに適していて、第２の取り外される構成では、前記電子機器の前記協動リップから取り外されるのに適している、
装置。
【００４１】
（付記１１）
前記磁石サブアセンブリーの前記リップと、前記電子機器の前記協動リップとは、前記第２の取り外される構成では、前記磁石サブアセンブリーに対して前記電子機器を傾けることにより、取り外されるのに適している付記１０に記載の装置。
【００４２】
（付記１２）
前記磁石の磁力を強めるように前記磁石の少なくとも一部を囲むフラックスガイドを更に含む付記１０に記載の装置。
【００４３】
（付記１３）
前記フラックスガイドは金属で形成されている付記１０に記載の装置。
【００４４】
（付記１４）
前記フラックスガイドは、概ねＵ型である付記１０に記載の装置。
【００４５】
（付記１５）
前記磁石と前記フラックスガイドとは、ネジで前記磁石サブアセンブリーに固定されている付記１２に記載の装置。
【００４６】
（付記１６）
前記磁石は、前記金属プレートと結合するように、概ね矩形の外面を形成している付記１０に記載の装置。
【００４７】
（付記１７）
前記フラックスガイドは、概ねＵ型である付記１０に記載の装置。
【図１】
2020515464.tif 000003
【図２】
2020515464.tif 000004
【図３】
2020515464.tif 000005
【図４】
2020515464.tif 000006
【図５】
2020515464.tif 000007
【国際調査報告】
2020515464.tif 000008